(57)【要約】【課題】不正行為を抑制し、特別遊技状態を発生させることなく変動入賞装置の球検出センサの検査を行うことが可能で、しかも、検査終了後における球の除去作業を容易になし得る遊技機を提供する。【解決手段】特別遊技状態の発生に基づき球を受け入れない閉状態から受け入れやすい開状態に変換可能で受け入れた球を検出する球検出手段を有する変動入賞装置を備える。球検出手段による球検出に基づき賞球を排出させる制御を行う制御手段を備える。制御手段は、特別遊技状態中に変動入賞装置に球が入賞したことを球検出手段が検出することに基づき所定数の賞球を排出させる制御を行う変動入賞装置排出制御手段を備える。制御手段は、特別遊技状態中以外のタイミングで変動入賞装置に球が入賞したことを球検出手段が検出した場合には、前記所定数よりも少数の賞球を排出させる制御を行う少数賞球排出制御手段を備える。【選択図】        図５
2004159945.tif 000002
【特許請求の範囲】
【請求項１】
遊技領域を流下する球を受け入れない閉状態と受け入れる開状態とに変換可能な変換部材、及び前記変換部材が開状態になった際に受け入れた球を検出する球検出手段を備える変動入賞装置と、
所定条件の成立により特別遊技状態が発生することに基づき前記変動入賞装置の前記変換部材を開状態に変換する制御を行う制御手段と、
を備える遊技機において、
前記制御手段は、
前記特別遊技状態中に前記変動入賞装置の球検出手段により球が検出された場合のみ予め定められた所定数の賞球を排出させる制御を行う変動入賞装置排出制御手段と、
正常に球排出を行うことができるかどうかの検査を行うために前記特別遊技状態以外の遊技状態であるにもかかわらず、前記球検出手段により球が検出された場合に、正常な球排出として認識できる程度に前記所定数よりも少数の賞球を排出させる制御を行う少数賞球排出制御手段と、
を備えることを特徴とする遊技機。
【請求項２】
前記制御手段は、
遊技を統括的に制御する遊技制御装置と、該遊技制御装置より賞球データが送信されることに基づいて賞球排出の制御を行う排出制御装置と、を含み、
前記遊技制御装置は、
前記球検出手段による球の検出があったときに、賞球を排出させるための賞球データを前記排出制御装置に送信する賞球データ送信手段と、
前記賞球データ送信手段による賞球データの送信結果に基づいて、排出された賞球数を加算記憶する排出賞球数加算記憶手段と、
前記排出賞球数加算記憶手段に加算記憶された賞球数に基づいて、排出された賞球数を特定可能な排出済賞球データを遊技機外部に出力する外部出力手段と、
を備え、
前記排出賞球数加算記憶手段は、
前記少数賞球排出制御手段による排出制御により排出された球を除外した賞球数を加算記憶することを特徴とする請求項１に記載の遊技機。
【請求項３】
前記遊技制御装置は、
前記変動入賞装置の変換部材が閉状態に制御されている場合に、前記球検出手段からの検出出力に基づき、前記賞球データとして、前記所定数よりも少数の賞球を排出させるための少数賞球データを設定して、前記排出制御装置に出力する少数賞球データ出力手段を備えることを特徴とする請求項２に記載の遊技機。
【請求項４】
前記遊技制御装置は、
電源遮断後も賞球データを記憶保持可能なバックアップ可能データ記憶手段と、
電源遮断後は賞球データを記憶保持不能なバックアップ不能データ記憶手段と、
を備え、
前記バックアップ不能データ記憶手段が前記少数賞球データを記憶することを特徴とする請求項３に記載の遊技機。
【発明の詳細な説明】
【０００１】
【発明の属する技術分野】
本発明は、遊技機に関する。
【０００２】
【従来の技術】
従来より、遊技機として、パチンコ遊技機等の弾球遊技機が知られている。
パチンコ遊技機は、一般に、その遊技盤に例えば図７及び図８に示すような変動入賞装置５が設けられ、大当り時（特別遊技状態中）には変動入賞装置５の開閉扉５ａが開放動作することにより該変動入賞装置５内に球が入賞し易い状態となるようになっている。
さらに、変動入賞装置５内には該変動入賞装置５内に入賞した球を検出する球検出センサ（球検出手段）、すなわちカウントセンサ５ｃ及び大入賞口継続センサ５ｄが設けられ、これらセンサにより球を検出すると球（賞球）を排出する（払い出す）ようになっている。
【０００３】
ところで、従来より、パチンコ遊技機等に対し不正行為を行って球の払い出しを受ける所謂ゴト行為が問題となっている。
ゴト行為には、例えば以下に説明するような種類がある。
【０００４】
先ず、球検出センサとしては、鋼製の球に無接触で感応し球を検出する電磁感応式のセンサが用いられることが一般的である。
このような電磁感応式の球検出センサを備える場合は、センサ近傍でトランシーバー等の電磁波を発生する機器を使用した場合、電磁波により球検出センサが感応し誤作動することがある。
このような球検出センサの欠点を利用して意図的に球検出センサを誤作動させ球の払い出しを受けるゴト行為を電波ゴトという。
【０００５】
また、他のゴト行為としては、上皿等から曲がりやすい樹脂製の板状部材（セル）を挿入してカウントセンサ５ｃ或いは大入賞口継続センサ５ｄに到達させ、入賞が発生していないのに賞球排出をさせる所謂セルゴトや、合い鍵でガラス枠を開放し手で開閉扉５ａを開き球を変動入賞装置５内に入れて賞球排出をさせる所謂ガラス枠解放ゴトなどがある。
【０００６】
このような不正行為は、遊技店に不利益となるだけでなく、不正行為を行わない遊技者にとっても不利益となる。
【０００７】
従来、上記のような不正行為による球の払い出しを防止するため、大当り中（特別遊技状態中）以外は変動入賞装置５内で球を検出しても球排出を行わないようにした遊技機も考えられている。（例えば、特許文献１参照）。
【０００８】
【特許文献１】
特開平１２−２６２６７３号
【０００９】
【発明が解決しようとする課題】
ところで、パチンコ遊技機等の遊技機に対する検査として、例えば工場等で、変動入賞装置５の球検出センサが正常に作動するかどうかの検査が一般に行われている。この検査では、実際に賞球が排出されるかどうかを確認する。つまり、変動入賞装置５内に球を入れて賞球排出が行われるか否かを調べる。
しかしながら、上記のように大当り中（特別遊技状態中）以外は変動入賞装置５内の球検出センサで球を検出しても球排出を行わないようにした場合には、大当りを発生させなければ球検出センサの検査を行うことができない。
他方、大当り中以外の状態時にも変動入賞装置５内の球検出センサによる球検出に基づき球排出を行うようにした場合には、上記のような不正行為が行われてしまう可能性があるだけでなく、上記の検査を行った場合に多くの（例えば１５個の）球が排出されてしまい、この排出された多くの球を検査終了後に取り除く必要があるため面倒であった。
【００１０】
この発明は、上記のような問題点を解決するためになされたもので、不正行為を抑制し、特別遊技状態を発生させることなく変動入賞装置の球検出センサの検査を行うことが可能で、しかも、検査終了後における球の除去作業を容易になし得る遊技機を提供することを目的とする。
【００１１】
【課題を解決するための手段】
上記課題を解決するため、
請求項１に記載の発明は、
遊技領域を流下する球を受け入れない閉状態と受け入れる開状態とに変換可能な変換部材、及び前記変換部材が開状態になった際に受け入れた球を検出する球検出手段を備える変動入賞装置と、
所定条件の成立により特別遊技状態が発生することに基づき前記変動入賞装置の前記変換部材を開状態に変換する制御を行う制御手段と、
を備える遊技機において、
前記制御手段は、
前記特別遊技状態中に前記変動入賞装置の球検出手段により球が検出された場合のみ予め定められた所定数の賞球を排出させる制御を行う変動入賞装置排出制御手段と、
正常に球排出を行うことがおできるかどうかの検査を行うために前記特別遊技状態以外の遊技状態であるにもかかわらず、前記球検出手段により球が検出された場合に、正常な球排出として認識できる程度に前記所定数よりも少数の賞球を排出させる制御を行う少数賞球排出制御手段と、
を備えることを特徴としている。
【００１２】
ここで、変動入賞装置は、例えば開閉動作可能な開閉扉を備え、開閉扉が閉じた状態が打球を受け入れない閉状態であり、開閉扉が開いた状態が打球を受け入れる開状態であることが挙げられる。
また、所定条件は、例えば「始動入賞に基づき抽出した乱数値が大当り値であった場合に変動表示ゲームの結果として特別結果態様を導出する」ことにより成立することが挙げられる。
また、少数の賞球とは、通常の賞球よりも少なければ幾つでも良いが、例えば１個であることが好ましい。
【００１３】
請求項１に記載の発明によれば、制御手段は、前記特別遊技状態中に前記変動入賞装置の球検出手段により球が検出された場合のみ予め定められた所定数の賞球を排出させる制御を行う変動入賞装置排出制御手段と、正常に球排出を行うことができるかどうかの検査を行うために前記特別遊技状態以外の遊技状態であるにもかかわらず、前記球検出手段により球が検出された場合に、正常な球排出として認識できる程度に前記所定数よりも少数の賞球を排出させる制御を行う少数賞球排出制御手段とを備えるので、特別遊技状態中以外のタイミングにおける変動入賞装置への入賞に対しては、特別遊技状態中の入賞に対するよりも少数（例えば１個）の賞球しか排出しないこととなる。よって、不正行為を行ったとしてもあまり有効ではないようにできるため、不正行為を抑制することができる。
また、変動入賞装置の球検出センサの検査を、特別遊技状態を発生させることなく行うことができる。しかも、この場合にも少数（例えば１個）の賞球を排出するので、検査の終了後は少数の球を取り除くだけで良い。よって、この除去作業が従来よりも容易となる。
【００１４】
請求項２に記載の発明は、請求項１に記載の遊技機において、
前記制御手段は、
遊技を統括的に制御する遊技制御装置と、該遊技制御装置より賞球データが送信されることに基づいて賞球排出の制御を行う排出制御装置と、を含み、
前記遊技制御装置は、
前記球検出手段による球の検出があったときに、賞球を排出させるための賞球データを前記排出制御装置に送信する賞球データ送信手段と、
前記賞球データ送信手段による賞球データの送信結果に基づいて、排出された賞球数を加算記憶する排出賞球数加算記憶手段と、
前記排出賞球数加算記憶手段に加算記憶された賞球数に基づいて、排出された賞球数を特定可能な排出済賞球データを遊技機外部に出力する外部出力手段と、
を備え、
前記排出賞球数加算記憶手段は、
前記少数賞球排出制御手段による排出制御により排出された球を除外した賞球数を加算記憶することを特徴としている。
【００１５】
ここで、排出済賞球データは、例えばホールコンピュータ（管理装置）に外部出力され、該ホールコンピュータにて例えば該当する遊技機の出球情報に加工される。
また、外部出力手段は、例えば、排出賞球数加算記憶手段に加算記憶された賞球数が特定数に達した場合に、排出済賞球データを遊技機外部に出力することが挙げられる。さらに、外部出力手段が賞球排出済データを出力する場合に排出賞球数加算記憶手段に記憶された賞球数から前記特定数を減算する排出賞球数減算手段を備えることが挙げられる。
【００１６】
請求項２に記載の発明によれば、少数賞球排出制御手段による排出制御により排出される球、すなわち球検出手段の検査用に排出される球は、排出賞球数加算記憶手段により加算記憶される賞球数、すなわち外部出力用の賞球数のデータに加算しない。よって、正確な賞球数に基づく排出済賞球データを遊技機外部に出力することができる。
【００１７】
請求項３に記載の発明は、請求項２に記載の遊技機において、
前記遊技制御装置は、
前記変動入賞装置の変換部材が閉状態に制御されている場合に、前記球検出手段からの検出出力に基づき、前記賞球データとして、前記所定数よりも少数の賞球を排出させるための少数賞球データを設定して、前記排出制御装置に出力する少数賞球データ出力手段を備えることを特徴としている。
【００１８】
請求項３に記載の発明によれば、前記変動入賞装置の変換部材が閉状態に制御されている場合に、前記球検出手段からの検出出力に基づき、前記賞球データとして、前記所定数よりも少数の賞球を排出させるための少数賞球データを設定して、前記排出制御装置に出力する少数賞球データ出力手段を備えるので、排出制御装置は受信した賞球データ（通常の賞球データ又は少数賞球データ）に応じた数の賞球を排出させる制御を行うだけでよい。よって、排出制御装置の制御プログラムの容量を小さく抑えることができる。
【００１９】
請求項４に記載の発明は、請求項３に記載の遊技機において、
前記遊技制御装置は、
電源遮断後も賞球データを記憶保持可能なバックアップ可能データ記憶手段と、
電源遮断後は賞球データを記憶保持不能なバックアップ不能データ記憶手段と、
を備え、
前記バックアップ不能データ記憶手段が前記少数賞球データを記憶することを特徴としている。
【００２０】
請求項４に記載の発明によれば、バックアップ不能データ記憶手段が少数賞球データを記憶するので、バックアップ可能データ記憶手段が記憶すべきデータの容量、すなわちバックアップの容量を少なくできる。
【００２１】
【発明の実施の形態】
以下、図面を参照して、本発明に係る実施の形態について説明する。
本実施の形態では、本発明に係る遊技機の適例としてのパチンコ遊技、特に、いわゆる「第１種」に属するタイプのパチンコ遊技機について説明を行う。
【００２２】
図１に示すように、パチンコ遊技機１００は、いわゆる「ＣＲ機」と呼ばれるタイプのものであり、遊技機本体１００Ａとカードユニット（カード式球貸機）１００Ｂとを備えて構成されている。
【００２３】
遊技機本体１００Ａは、島設備に設置された本体枠１１０（図２）と、該本体枠１１０の一側方に回動可能に軸支された額縁状の前面枠１１１とを備えている。この前面枠１１１の前側上半部には、透明なガラス板１０１がガラス枠１０２に保持された状態で開閉自在に取り付けられている。このガラス枠１０２の上部には、賞球排出の報知を行う（賞球排出の際に点灯する）賞球排出報知ＬＥＤ１６や、異常発生の報知を行う（異常発生した場合に点灯する）賞球異常報知ＬＥＤ１５が配設されている。そして、ガラス板１０１の奥側には、遊技領域１ａを構成する遊技盤１が設置されている。
【００２４】
この遊技盤１のガイドレール２で囲まれた遊技領域１ａには、普図始動ゲート６，６、特別図柄（特図）表示装置４、普通図柄（普図）表示器７、普図変動表示ゲームの結果に関連して開閉部材９ａ，９ａを開閉させる特図始動口を兼ねた普通変動入賞装置９、特図変動表示ゲームの結果に関連して大入賞口５ｂを閉じた状態から開放状態に変換するサイクル遊技を行う特別変動入賞装置５、一般入賞口８，…、装飾ＬＥＤ１２，…、風車と呼ばれる打球方向変換部材１４，１４、多数の障害釘（図示省略）などが配設されている。遊技領域１ａの最下端部中央にはアウト球を回収するためのアウト穴１３が設けられている。
【００２５】
特別図柄表示装置４は、例えば、液晶表示装置（ＬＣＤ：Ｌｉｑｕｉｄ  Ｃｒｙｓｔａｌ  Ｄｉｓｐｌａｙ）からなる変動表示装置４ａを備えている。変動表示装置４ａは、複数の変動表示領域を有し、該変動表示領域の各々に一連の識別情報（例えば、図柄、数字、記号など）を順次変動表示させた後に停止させることで、特図の変動表示ゲームの表示が可能となっている。また、例えば特別図柄表示装置４の上部には、普通変動入賞装置９に遊技球が入賞して特図変動表示ゲームが未処理となっている未処理回数を点灯表示する特図始動記憶表示器４ｂ，…が設けられている。
【００２６】
普通図柄表示器７は、例えば、７セグメント型のＬＥＤなどによって構成され、普通図柄（例えば、図柄、数字、記号などの識別情報）の変動表示ゲームが行われるようになっている。また、例えば特別変動入賞装置５の開閉扉５ａの右側には、普図始動ゲート６，６に遊技球が入賞（普図の始動入賞）して普図変動表示ゲームが未処理となっている未処理回数を表示する普図始動記憶表示器６ａが配設されている。
【００２７】
普通変動入賞装置９は左右一対の開閉部材９ａ，９ａを具備し、この開閉部材９ａ，９ａは、常時は遊技球が１個流入可能な程度の間隔で閉じた状態を保持しているが、普通図柄表示器７の変動表示ゲームの結果が所定の結果態様（例えば、「７」）となった場合には、普電ソレノイド６ｃ（図３）の駆動により逆「ハ」の字状に開いて普通変動入賞装置９に遊技球が流入し易い状態に変化されるようになっている。
この普通変動入賞装置９は、特図の始動口も兼ね、その内部に特図始動センサ９ｂ（図３）を備えている。また、普図始動ゲート６，６内には、該普図始動ゲート６，６を通過した遊技球を検出するための普図始動センサ６ｂ，６ｂ（図３）が設けられている。
【００２８】
特別変動入賞装置（変動入賞装置）５はアタッカー形式の開閉扉５ａによって開閉される大入賞口５ｂ（図７（ｂ））を備えている。開閉扉５ａは、アタッカーソレノイド５ｅ（図３、図８）の駆動により、その上端側が手前側に倒れる方向に回動して開放可能になっている。
特別変動入賞装置（変動入賞装置）５は、常時は図７（ａ）、図８（ａ）に示すように、開閉扉５ａが閉じていて球を受け入れない状態（閉状態）となっているが、特図の変動表示ゲームの表示結果が特別結果態様（例えば、「７，７，７」のゾロ目）となって大当たり等が発生した場合に、図７（ｂ）、図８（ｂ）に示すように、大入賞口５ｂが開放されて、多数の遊技球を獲得し易い状態（遊技者にとって有利な状態；開状態）に変換されるようになっている。この大入賞口５ｂの内部には、該大入賞口５ｂに入った遊技球を検出するためのカウントセンサ５ｃ（球検出手段）と、大入賞口５ｂに入った遊技球のうち継続入賞領域（Ｖ入賞領域）に流入した遊技球を検出するための大入賞口継続センサ５ｄ（球検出手段）と、継続入賞領域に遊技球が流入した後は流路切替部材５ｇを動かして遊技球を継続入賞領域に流入させないように特別変動入賞装置５への入賞球の流路を切り替える流路切替ソレノイド５ｆ等が配設されている。
すなわち、特別変動入賞装置５は、遊技盤１に配設され、打球を受け入れない閉状態と受け入れやすい開状態とに変換可能であるとともに、受け入れた打球を検出する球検出手段（カウントセンサ５ｃ、大入賞口継続センサ５ｄ）を備える。
【００２９】
なお、特別変動入賞装置５には、他に、普通変動入賞装置９に入賞した（始動入賞した）球を流下させる始動入賞球流下路５ｈが形成されている。
【００３０】
また、各一般入賞口８，…の内部には、該入賞口８，…に入った遊技球を検出するための一般入賞口センサ８ａ，…（図３）が配設されている。
【００３１】
また、パチンコ遊技機１００の前側下半部には、発射部（図示省略）に遊技球を供給する上皿１０５、該上皿１０５に収容しきれない球を収容する下皿１０７、遊技領域１ａに向けて遊技球の発射操作を行うための操作ハンドル１０４などが設けられている。
【００３２】
図２はパチンコ遊技機の裏面図である。
【００３３】
前面枠１１１の裏面側には、遊技盤１を収納する遊技盤収納フレーム１１５が取り付けられ、この遊技盤収納フレーム１１５の背部には裏機構盤１２０が取り付けられている。
この裏機構盤１２０の裏側には、予備球を貯留するための貯留タンク１２１、該貯留タンク１２１からの予備球を流下案内する導出樋１２２、該導出樋１２２により流下案内される球の球抜きなどを行う球抜きユニット１２３等が配設され、また、該球抜きユニット１２３を介して流下案内された球を所定条件の成立（球の入賞を検出したこと、或いは球貸し操作が行われたこと）に基づいて所要数排出する排出ユニット１２４、該排出ユニット１２４より排出された球の流路を貸球用流路又は賞球用流路の何れか一方に切換可能な流路切換ユニット１２５、該流路切換ユニット１２５から送られてきた球を上皿１０５又は下皿１０７へと流下案内する案内樋（図示省略）などで構成される排出機構が配設されている。
【００３４】
球抜きユニット１２３は、半端球（予備球の貯留状態）を検出するための半端球検出センサ１２３ａ（図３）を備えている。
排出ユニット１２４は、球の流下規制を行う流下規制部材（図示省略）、該流下規制部材を駆動するための球排出モータ１２４ａ（図３）、流下規制部材の回動を規制するためのストッパーソレノイド１２４ｂ（図３）などを備えている。流路切換ユニット１２５は、貸球用流路と賞球用流路の何れか一方に流路を切り換えるための流路切換弁（図示省略）、該流路切換弁を駆動するための流路切換ソレノイド１２５ｃ（図３）、貸球用流路を流れる貸球を検出するための貸球検出センサ１２５ａ，１２５ａ（図３）、賞球用流路を流れる賞球（排出された賞球）を検出するための賞球検出センサ（賞球検出手段）１２５ｂ，１２５ｂなどを備えている。
また、案内樋には、流路切換ユニット１２５から送られてきた球を上皿１０５へと流下案内する上皿案内路（図示省略）や、上皿１０５が満杯となって上皿案内路から溢れた球を下皿１０７へと流下案内するオーバーフロー流路（図示省略）が設けられ、このオーバーフロー流路に臨む位置には、該オーバーフロー流路における球の滞留状態を検出するためのオーバーフロースイッチ１２６（図３）が配設されている。なお、オーバーフロースイッチ１２６の検出信号や賞球検出センサ１２５ｂ，１２５ｂの検出信号は、図３に示すように、中継基板８４を介して、制御装置（例えば遊技制御装置２０及び排出制御装置３０）に出力されるようになっている。
【００３５】
さらに、裏機構盤１２０の裏側には、所定の制御プログラムに従って遊技に関する制御を行う制御装置が設けられている。
すなわち、図２に示すように、所定の遊技制御プログラムに従って遊技を統括的に制御する遊技制御装置（制御手段）２０、この遊技制御装置２０の制御下で所定の排出制御プログラムに従って遊技球の排出制御等を行う排出制御装置（制御手段）３０等が設けられている。
裏機構盤１２０の裏側には、他に、各制御装置に対して電源を供給する電源装置９０、電源用の中継基板として機能するターミナル基板８２、遊技制御装置２０から出力される賞球排出信号などを外部の管理装置（ホールコンピュータ）に中継する枠用外部出力端子板（外部出力手段）８１などが設けられている。
【００３６】
また、遊技盤１の裏側に突出した特別図柄表示装置４の背部には、演出制御装置４０が配設されている。
また、特別図柄表示装置４の背部には、他に、遊技制御装置２０から出力される外部情報（例えば、大当たり発生情報、確率変動状態発生情報、図柄確定情報など）を外部の管理装置に中継する遊技盤用外部出力端子板８３などが配設されている。
また、前面枠１１１の裏面下端側には、遊技機前面の操作ハンドル１０４の操作に基づき遊技球を遊技領域１ａに発射させる発射装置７１、該発射装置７１の制御を行う発射制御装置７０などが配設されている。
【００３７】
図３は、パチンコ遊技機の主要な制御ブロック図である。
【００３８】
遊技制御装置２０は、ＣＰＵ（Ｃｅｎｔｒａｌ  Ｐｒｏｃｅｓｓｉｎｇ  Ｕｎｉｔ）２１ａ、ＲＡＭ（Ｒａｎｄｏｍ  Ａｃｃｅｓｓ  Ｍｅｍｏｒｙ）２１ｂ、ＲＯＭ（Ｒｅａｄ  Ｏｎｌｙ  Ｍｅｍｏｒｙ）２１ｃ及びＩ／Ｆ（Ｉｎｔｅｒｆａｃｅ）２３を備えて構成されている。
【００３９】
ＣＰＵ２１ａは、制御部、演算部を備え、演算制御を行う他、特図や普図の変動表示ゲームの内容の決定に関与する各種乱数なども生成している。各種乱数値には、例えば、特図の大当り判定用乱数値、普図の当たり判定用乱数値などが含まれる。
ＲＡＭ２１ｂは、遊技に関する各種のデータを記憶する。すなわち、ＲＡＭ２１ｂは、賞球の排出予定回数を記憶する賞球カウンタ（後述）の記憶領域、排出された賞球数を外部出力用に加算記憶する外部出力カウンタ（排出賞球数加算記憶手段）の記憶領域、特図始動信号としての特図始動センサ９ｂのオン信号の記憶（特図始動記憶）および普図始動信号としての普図始動センサ６ｂ，６ｂのオン信号の記憶（普図始動記憶）の記憶領域、ＣＰＵ２１ａで生成される各種乱数の記憶領域、各種データを一時的に記憶する記憶領域、並びに、ＣＰＵ２１ａの作業領域等を備えている。
ＲＯＭ２１ｃには、遊技上の制御プログラム（例えば、後述するタイマ割込処理、賞球排出処理等を実行するための制御プログラム）や制御データが書き込まれている他、特図や普図の変動表示ゲームの内容を決定するための各種判定値などが書き込まれている。各種判定値には、例えば、特図の大当たり発生を判定するための特図の大当たり判定値、普図の当たり発生を判定するための普図の当たり判定値などが含まれる。
【００４０】
Ｉ／Ｆ２３には、図示しないローパスフィルタ及びバッファーゲートを介して、半端球検出センサ１２３ａ、ガラス枠開放センサ８６、特図始動センサ９ｂ、普図始動センサ６ｂ，６ｂ、カウントセンサ５ｃ、大入賞口継続センサ５ｄ、一般入賞口センサ８ａ，…などが接続され、これらから出力される検出信号がＩ／Ｆ２３を介してＣＰＵ２１ａに出力されるようになっている。
また、Ｉ／Ｆ２３には、ＣＰＵ２１ａから出力される各種の制御信号が入力され、それら制御信号は、Ｉ／Ｆ２３から、図示しない出力ポート及びドライバーを介して、遊技盤用外部出力端子板８３、普通図柄表示器（普電ＬＥＤ）７、普電ソレノイド６ｃ、アタッカーソレノイド５ｅ、流路切替ソレノイド５ｆ、演出制御装置４０、排出制御装置３０などに出力されるようになっている。
【００４１】
この遊技制御装置２０のＣＰＵ２１ａは、Ｉ／Ｆ２３を介して入力される各センサ（半端球検出センサ１２３ａ、ガラス枠開放センサ８６、特図始動センサ９ｂ、普図始動センサ６ｂ，６ｂ、大入賞口継続センサ５ｄ、カウントセンサ５ｃ、一般入賞口センサ８ａ，…）からの検出信号に基づいて、例えば、次のような遊技制御を行う。
【００４２】
例えば、遊技制御装置２０のＣＰＵ２１ａは、特図始動センサ９ｂからの検出信号が入力された場合に、その検出信号の入力に基づいて、ＲＡＭ２１ｂに記憶されている乱数値を抽出し、該抽出した乱数値と、予めＲＯＭ２１ｃに記憶されている判定値との比較により、特図の変動表示ゲームの結果（大当たり又はハズレ）やそれに至るまでのプロセス（例えば、リーチの有無や種類など）を決定すると共に、それら決定に基づいて、演出制御装置４０に対し、表示制御指令を送って変動表示装置４ａに図柄の変動表示を行わせたり、音制御指令を送ってスピーカ６１より出力される効果音や音声を制御したり、装飾制御指令を送ってランプ類やＬＥＤ類の点灯状態を制御したりする。
そして、例えば、特図の大当たり判定用乱数値と特図の大当たり判定値とが一致する場合（特図の大当り乱数値が大当り値であった場合）には、演出制御装置４０に表示制御指令を送って、変動表示装置４ａの変動表示を特別結果態様（例えば、「１，１，１」、「７，７，７」などのゾロ目）で停止させ、大当たりと呼ばれる特別遊技状態を発生させる。
この大当たりは、特別変動入賞装置５の開閉扉５ａが所定時間（例えば、２９．５秒間）開放して（開状態となって）閉じる（閉状態となる）サイクルを１ラウンドとし、各ラウンド中、遊技球が大入賞口５ｂ中の継続入賞領域の大入賞口継続センサ５ｄに検出されることを条件に所定ラウンド（例えば、１５ラウンド）まで継続される遊技である。但し、各ラウンド中、大入賞口５ｂに遊技球が所定個数（例えば、１０個）入賞したときはその時点でそのラウンドを終了する。各ラウンド中、大入賞口５ｂへの入賞個数は、カウントセンサ５ｃにより検出されてＲＡＭ２１ｂに記憶され、所定個数に達すると開閉扉５ａが閉じられてそのラウンドの特別遊技状態が終了する。
すなわち、遊技制御装置２０は、所定条件（例えば、始動入賞に基づき抽出した乱数値が大当り値であった場合に変動表示ゲームの結果として特別結果態様を導出することにより成立する）の成立により特別遊技状態が発生することに基づき特別変動入賞装置５を閉状態から開状態に変換する制御を行う。
【００４３】
また、遊技制御装置２０のＣＰＵ２１ａは、一般入賞口センサ８ａ，…、特図始動センサ９ｂ、カウントセンサ５ｃ、大入賞口継続センサ５ｄからの検出信号が入力された場合に、排出制御装置３０に賞球データを送信する。
すると、排出制御装置３０は該賞球データを受信し、該受信に基づき排出ユニット１２４より所要数の賞球を排出させる制御を行う。
すなわち、パチンコ遊技機１００は、変動入賞装置（特別変動入賞装置５）の球検出手段（カウントセンサ５ｃ、大入賞口継続センサ５ｄ）による球検出に基づき予め定められた賞球（特別遊技状態中とそれ以外の状態時とで異なる賞球数）を排出させる制御を行う制御手段（遊技制御装置２０、排出制御装置３０）を備える。
ただし、詳細は後述するように、本実施形態のパチンコ遊技機１００の場合、特別変動入賞装置（変動入賞装置）５の球検出手段であるカウントセンサ５ｃ、大入賞口継続センサ５ｄによる球検出に基づき排出される賞球数は、特別遊技状態中の入賞に基づく賞球数よりも、特別遊技状態中以外のタイミングでの入賞に基づく賞球数の方が少なくなるようにされている。具体的には、特別遊技状態中にカウントセンサ５ｃ、大入賞口継続センサ５ｄにより検出信号が入力された場合には、１個の入賞検出に対し例えば１５個の賞球排出を行う一方で、特別遊技状態中以外のタイミングでカウントセンサ５ｃ、大入賞口継続センサ５ｄにより検出信号が入力された場合には、１個の入賞検出に対し例えば１個のみ賞球排出を行う。
【００４４】
さらに、遊技制御装置２０のＣＰＵ２１ａは、Ｉ／Ｆ２３に接続される各センサ（半端球検出センサ１２３ａ、ガラス枠開放センサ８６、特図始動センサ９ｂ、普図始動センサ６ｂ，６ｂ、カウントセンサ５ｃ、大入賞口継続センサ５ｄ、一般入賞口センサ８ａ，…）から各種の検出信号が入力された場合に、演出制御装置４０に指令を送って各種電気部品（例えば、変動表示装置４ａ、賞球排出異常ＬＥＤ１５、賞球排出報知ＬＥＤ１６、スピーカ６１など）に所定の報知（例えば、異常発生の報知や賞球排出の報知など）を行わせる。
【００４５】
排出制御装置３０は、図３に示すように、ＣＰＵ３１ａ、ＲＯＭ３１ｃ、ＲＡＭ３１ｂ、Ｉ／Ｆ３２等を備えて構成されている。
Ｉ／Ｆ３２には、流路切換ユニット１２５の貸球検出センサ１２５ａ，１２５ａ及び賞球検出センサ１２５ｂ，１２５ｂ、オーバーフロースイッチ１２６、カードユニット１００Ｂ、遊技制御装置２０からの信号が入力される。また、Ｉ／Ｆ３２からは、排出ユニット１２４の球排出モータ１２４ａ及びストッパーソレノイド１２４ｂ、カードユニット１００Ｂ、流路切換ユニット１２５の流路切換ソレノイド１２５ｃに制御信号がそれぞれ出力される。
【００４６】
この排出制御装置３０のＣＰＵ３１ａは、例えば、カードユニット１００Ｂから貸球制御指令が入力された場合に、その貸球制御指令に基づいて、流路切換ソレノイド１２５ｃに制御信号を送って、排出ユニット１２４から排出される球の流路を貸球用流路に切り換えると共に、球排出モータ１２４ａ及びストッパーソレノイド１２４ｂに制御信号を送って、排出ユニット１２４より所要数の貸球を排出させる制御を行う。
【００４７】
また、排出制御装置３０のＣＰＵ３１ａは、遊技制御装置２０から賞球データが入力された場合に、その賞球データに基づいて、流路切換ソレノイド１２５ｃに制御信号を送って、排出ユニット１２４から排出される球の流路を賞球用流路に切り換えると共に、球排出モータ１２４ａ及びストッパーソレノイド１２４ｂに制御信号を送って、排出ユニット１２４より所要数の賞球を排出させる制御を行う。
すなわち、排出制御装置３０は、遊技制御装置２０より賞球データが送信されることに基づいて賞球排出の制御を行う。
【００４８】
また、排出ユニット１２４から排出された賞球は、賞球用流路を流下する過程で、賞球検出センサ１２５ｂ，１２５ｂにより１個ずつ検出され、その検出信号が、中継基板８４を介して、遊技制御装置２０と排出制御装置３０の各々へと出力される。この賞球検出センサ１２５ｂ，１２５ｂからの検出信号に基づいて、遊技制御装置２０と排出制御装置３０の各々では、賞球排出が正常に行われているかを否かを監視する処理が行われる。
【００４９】
また、演出制御装置４０は、図３に示すように、ＣＰＵ４１、ＲＯＭ４２、ＲＡＭ４３、Ｉ／Ｆ４９などを備えている。このうちＣＰＵ４１は、その内部に制御部、演算部、各種カウンタ、各種レジスタなどを備えてなり、遊技制御装置２０とＩ／Ｆ４９を介して接続されている。ＲＯＭ４２には、表示制御プログラム、装飾制御プログラム及び音制御プログラムや表示制御データ、装飾制御データ、音制御データ等が書き込まれている。ＲＡＭ４３は、各種データを一時的に記憶する記憶領域やＣＰＵ４１の作業領域などを備えている。
【００５０】
演出制御装置４０は、遊技制御装置２０からの表示制御情報に基づいて、変動表示装置４ａに識別情報による特図の変動表示ゲームを含む各種の演出表示や、その他の各種情報表示などを行わせる表示制御を行う。
なお、この情報表示には、通常通りの排出が不能な状態である旨の報知（後述）が含まれる。
【００５１】
さらに、演出制御装置４０は、Ｉ／Ｆ４９を介して賞球排出報知ＬＥＤ１６、検査確認用ＬＥＤ１７、普図始動記憶表示器６ａ、特図始動記憶表示器４ｂ、装飾ＬＥＤ１２、変動表示装置４ａ、スピーカ６１等に接続されている。
そして、演出制御装置４０は、遊技制御装置２０から出力される装飾制御指令に基づいて賞球排出報知ＬＥＤ１６、検査確認用ＬＥＤ１７（後述）、普図始動記憶表示器６ａ、特図始動記憶表示器４ｂ、装飾ＬＥＤ１２等の点灯状態を制御したり、遊技制御装置２０から出力される音制御指令に基づいてスピーカ６１（図３）の出力音を制御したりする。
【００５２】
さらに、パチンコ遊技機１００は、例えば停電等の発生により、各制御装置への電源供給が遮断される状態となった場合に、制御装置に記憶された所定のデータ（本実施形態の場合、遊技制御装置２０のＲＡＭ２１ｂの一部の記憶内容と排出制御装置３０のＲＡＭ３１ｂの記憶内容）をバックアップ（記憶保持）するバックアップ手段を備えている。
即ち、電源装置９０は、図３に示すように、電源回路９４に加えて、監視回路９５及びバックアップ電源回路９２を備えている。
電源回路９４は、交流を直流に変換する整流回路、出力電圧の変動を小さくする定電圧回路、リプル成分を消去する平滑回路を有し、遊技機に供給される交流２４Ｖの電源を、各制御装置の動作に必要な直流電圧（５Ｖ、１２Ｖ等）に変換して、各制御装置に供給する。
監視回路９５は、所定の基準電圧と電源回路９４の出力電圧とを比較し、該比較の結果、電源回路９４の出力電圧が所定の基準電圧以下に低下したこと（すなわち制御装置に供給される電源が異常状態となったこと）が検出された場合に、遊技制御装置２０と排出制御装置３０の各ＣＰＵ２１ａ、３１ａに対して、検出結果として停電検出信号（割り込み信号）を出力する。各ＣＰＵ２１ａ、３１ａは、その停電検出信号に基づいて停電処理を実行する。
バックアップ電源回路９２は、電源回路９４からの出力が常時印加されて大容量の電気エネルギーを蓄積可能な素子（例えば、コンデンサなど）により構成され、電源回路９４からの出力が消滅しても、ＲＡＭ２１ｂの一部及びＲＡＭ３１ｂに電源を供給し続けることにより、ＲＡＭ２１ｂの一部及びＲＡＭ３１ｂの記憶内容が消去されないように保持する。
つまり、ＲＡＭ２１ｂの一部の記憶領域は当該パチンコ遊技機１００への電源遮断後もデータを記憶保持可能なバックアップ可能データ記憶手段を構成し、ＲＡＭ２１ｂの残りの記憶領域は電源遮断後はデータを記憶保持不能なバックアップ不能データ記憶手段を構成している。
また、電源装置９０には、ＲＡＭ２１ｂの一部及びＲＡＭ３１ｂの記憶内容を消去するためのＲＡＭクリアスイッチ９１が設けられている。このＲＡＭクリアスイッチ９１を操作すると、遊技制御装置２０と排出制御装置３０の各ＣＰＵ２１ａ、３１ａに対してＲＡＭクリア信号が出力され、このＲＡＭクリア信号に基づいて、遊技制御装置２０と排出制御装置３０の各々では、ＲＡＭ２１ｂの一部及びＲＡＭ３１ｂの記憶内容を消去する処理が行われる。
【００５３】
次に、図４を参照して、遊技制御装置２０が行うタイマ割込処理について説明する。
【００５４】
なお、このタイマ割込処理は、所定周期（例えば、４ミリ秒）毎のタイマ割込により行われる処理である。
【００５５】
ここで、ＲＡＭ２１ｂの賞球カウンタ（賞球の排出予定回数を記憶するカウンタ）には、一般入賞口センサ８ａからの検出信号の入力に基づき＋１される一般賞球カウンタ、特別遊技状態中における大入賞口継続センサ５ｄ或いはカウントセンサ５ｃからの検出信号の入力に基づき＋１される１５個賞球カウンタ、特別遊技状態でない状態時（タイミング）における大入賞口継続センサ５ｄ或いはカウントセンサ５ｃからの検出信号の入力に基づき＋１される少数賞球カウンタ等が含まれている。
このタイマ割込処理では、以下に説明するように、１５個賞球カウンタ及び少数賞球カウンタのカウンタ値の更新を行う。
なお、後述する賞球排出処理に示すように、１５個賞球カウンタ及び少数賞球カウンタのカウンタ値に基づき賞球データ（１５個賞球データ、少数賞球データ）を排出制御装置３０に送信し、賞球排出の制御を行わせる。
【００５６】
図４のタイマ割込処理では、先ず、ステップＳ１にて、特別遊技状態中であるか否かを判定し、特別遊技状態であると判定した場合にはステップＳ２に移行する。
【００５７】
ステップＳ２では、大入賞口継続センサ５ｄ或いはカウントセンサ５ｃからのオン信号（検出信号）の入力があるか否かを判定し、入力がないと判定した場合にはステップＳ３を行わずに当該タイマ割込処理を終了する一方で、入力があると判定した場合にはステップＳ３に移行する。
【００５８】
ステップＳ３では、１５個賞球カウンタのカウンタ値を＋１する。
つまり、特別遊技状態中における大入賞口継続センサ５ｄ或いはカウントセンサ５ｃからの検出信号の入力に基づき１５個賞球カウンタのカウンタ値を更新（加算）する。
【００５９】
なお、１５個賞球カウンタは、ＲＡＭ２１ｂのうちでバックアップ可能な記憶領域に設けられている。従って、例えば特別遊技状態中、１５個賞球カウンタのカウンタ値に基づく賞球が未排出となっている状態時（１５個賞球カウンタのカウンタ値が１以上の場合）に停電等によりパチンコ遊技機１００への電源が遮断されたとしても、該カウンタ値は電源遮断後も記憶保持される。よって、停電復帰後には１５個賞球カウンタのカウンタ値に基づいて賞球を排出することができる。
【００６０】
また、上記ステップＳ１にて、特別遊技状態中でないと判定された場合にはステップＳ４に移行する。
【００６１】
ステップＳ４では、大入賞口継続センサ５ｄ或いはカウントセンサ５ｃからのオン信号（検出信号）の入力があるか否かを判定し、入力がないと判定した場合にはステップＳ５を行わずに当該タイマ割込処理を終了する一方で、入力があると判定した場合にはステップＳ５に移行する。
【００６２】
ステップＳ５では、少数賞球カウンタのカウンタ値を＋１する。
つまり、特別遊技状態中以外の状態時における大入賞口継続センサ５ｄ或いはカウントセンサ５ｃからの検出信号の入力に基づき少数賞球カウンタのカウンタ値を更新（加算）する。すなわち、少数賞球データを記憶する。
【００６３】
なお、少数賞球カウンタは、ＲＡＭ２１ｂのうちでバックアップ不能な記憶領域に設けられている。すなわち、バックアップ不能データ記憶手段が少数賞球データを記憶する。
少数賞球カウンタは、後述するように変動入賞装置５の大入賞口継続センサ５ｄ、カウントセンサ５ｃの検査を行うために設けられているものであり、この少数賞球カウンタのカウンタ値に基づく賞球排出は、例えば停電復帰後等にはあえて行う必要はない。従って、少数賞球カウンタはバックアップ不能な記憶領域に設けることが好ましく、しかも、このようにすることにより、バックアップすべき記憶容量を少なくすることができる。
【００６４】
次に、図５を参照して、遊技制御装置２０が行う賞球排出処理について説明する。
なお、この賞球排出処理は、所定周期（例えば、約４ｍｓ）を持ったリセット信号に基づいて１シーケンスずつ実行される遊技制御処理（メイン処理）の中の一処理である。
【００６５】
ここで、１５個賞球カウンタのカウンタ値が１以上の場合、すなわち、特別遊技状態中に特別変動入賞装置５内に球が入賞することにより大入賞口継続センサ５ｄ或いはカウントセンサ５ｃからの検出信号の入力があった場合には、排出制御装置３０に賞球データ（１５個賞球データ）を送信して賞球を１５個（所定数）ずつ排出させる制御を行わせる。
すなわち、制御手段（遊技制御装置２０、排出制御装置３０）は、特別遊技状態中に変動入賞装置（特別変動入賞装置５）に球が入賞したことを球検出手段（大入賞口継続センサ５ｄ、カウントセンサ５ｃ）が検出することに基づき所定数（例えば、１個の入賞検出に対し１５個）の賞球を排出させる制御を行う変動入賞装置排出制御手段（遊技制御装置２０、排出制御装置３０）を備える。
【００６６】
他方、少数賞球カウンタのカウンタ値が１以上の場合、すなわち、特別遊技状態中以外のタイミングで特別変動入賞装置５内に球が入賞することにより大入賞口継続センサ５ｄ或いはカウントセンサ５ｃからの検出信号の入力があった場合には、排出制御装置３０に少数賞球データを送信して賞球を１個（所定数よりも少ない数）ずつ排出させる制御を行わせる。
すなわち、制御手段（遊技制御装置２０、排出制御装置３０）は、特別遊技状態中以外のタイミングで変動入賞装置（特別変動入賞装置５）に球が入賞したことを球検出手段（大入賞口継続センサ５ｄ、カウントセンサ５ｃ）が検出することに基づき前記所定数よりも少数（例えば、１個の入賞検出に対し１個）の賞球を排出させる制御を行う少数賞球排出制御手段（遊技制御装置２０、排出制御装置３０）を備える。
また、遊技制御装置２０は、特別遊技状態中以外のタイミングで変動入賞装置に球が入賞したことを球検出手段が検出した場合に、賞球データとして、前記所定数よりも少数の賞球を排出させるための少数賞球データを排出制御装置３０に送信する少数賞球データ出力手段を備える。
【００６７】
また、少数賞球カウンタのカウンタ値が１以上の場合には、排出制御装置３０に少数賞球データを送信する前に、通常の賞球排出（１５個ずつの賞球排出）が不能な排出不能状態である旨の報知（例えば報知表示）の制御を行う。
【００６８】
図５の賞球排出処理では、先ず、ステップＳ１１にて、１５個賞球カウンタのカウンタ値が１以上である（カウンタ値＞０である）か否かを判定し、１以上であると判定した場合にはステップＳ１２に移行する。
【００６９】
ステップＳ１２では、１５個賞球カウンタのカウンタ値と同じ数だけ排出制御装置３０に１５個賞球データを送信する処理（カウンタ値が例えば１であれば１つの１５個賞球データを、カウンタ値が例えば２であれば２つの１５個賞球データを送信する処理）を行う。
排出制御装置３０では、１５個賞球データを１つ受信する毎に、排出ユニット１２４により１５個の賞球を排出させる制御を行う。
なお、１５個賞球データを排出制御装置３０に送信する一方で、装飾制御指令を演出制御装置４０に送って、賞球排出報知ＬＥＤ１６を点灯させる制御も行う。
【００７０】
ステップＳ１２に続くステップＳ１３では、１５個賞球カウンタのカウンタ値をリセットする（カウンタ値を０にする）処理を行ってステップＳ１４に移行する。
【００７１】
ステップＳ１４では、外部出力カウンタ計数処理を行う。
【００７２】
この外部出力カウンタ計数処理では、図６に示すように、先ず、ステップＳ１４１では、先のステップＳ１２にて排出制御装置３０に送信した賞球データの数に応じた賞球数だけ外部出力カウンタのカウンタ値を加算する。
つまり、送信した賞球データが例えば１つであればカウンタ値を１×１５＝１５だけ加算し、送信した賞球データが例えば２つであればカウンタ値を２×１５＝３０だけ加算する。
ステップＳ１４１に続くステップＳ１４２では、外部出力カウンタのカウンタ値が１０以上であるか否かの判定を行う。
ステップＳ１４２にて外部出力カウンタのカウンタ値が「１０」以上であると判定した場合には、ステップＳ１４３に移行して外部出力データ（排出済賞球データ）を枠用外部出力端子板（外部出力手段）８１を介して遊技機外部の管理装置に１パルス送信し、続いてステップＳ１４４に移行して外部出力カウンタのカウンタ値を「１０」減算する処理を行い、引き続きステップＳ１４２からの処理を繰り返す。
他方、ステップＳ１４２にて、外部出力カウンタのカウンタ値が「１０」未満であると判定される場合には、当該外部出力カウンタ計数処理を終了するとともに賞球排出処理を終了する。
【００７３】
つまり、外部出力カウンタ計数処理では、遊技制御装置２０から排出制御装置３０への賞球データの送信結果に基づいて、排出ユニット１２４により排出された賞球数を外部出力カウンタのカウンタ値として加算記憶し、この加算後のカウンタ値が「１０」以上である場合に、外部の管理装置に外部出力データを出力してカウンタ値を「１０」減算する処理（ステップＳ１４３、Ｓ１４４）を、外部出力カウンタのカウンタ値が「１０」未満となるまで繰り返し行う。
すなわち、遊技制御装置２０は、特別変動入賞装置５の球検出手段（カウントセンサ５ｃ、大入賞口継続センサ５ｄ）による球の検出があったときに、賞球を排出させるための賞球データを排出制御装置３０に送信する賞球データ送信手段と、賞球データ送信手段による賞球データの送信結果に基づいて、排出された賞球数を加算記憶する排出賞球数加算記憶手段（外部出力カウンタ）と、排出賞球数加算記憶手段に加算記憶された賞球数に基づいて、排出された賞球数を特定可能な排出済賞球データ（外部出力データ）を遊技機外部に出力する外部出力手段（枠用外部出力端子板８１とともに外部出力手段を構成する）と、を備える。
特に、外部出力手段（遊技制御装置２０、枠用外部出力端子板８１）は、排出賞球数加算記憶手段に加算記憶された賞球数が特定数（例えば１０）に達した場合に、排出済賞球データ（外部出力データ）を遊技機外部に出力する。さらに、外部出力手段が賞球排出済データを出力する場合に排出賞球数加算記憶手段に記憶された賞球数から前記特定数（例えば１０）を減算する排出賞球数減算手段を備える。
【００７４】
また、少数賞球カウンタのカウンタ値に基づき少数賞球データを排出制御装置３０に送信して少数賞球データに基づく球排出を行う場合には、外部出力カウンタのカウンタ値を加算しない（ステップＳ１５〜Ｓ１８）。すなわち、排出賞球数加算記憶手段は、少数賞球排出制御手段による排出制御により排出された球を除外した賞球数を加算記憶する。
【００７５】
なお、遊技機外部の管理装置では、各パチンコ遊技機１００の遊技制御装置２０から出力された外部出力データに基づいて、各パチンコ遊技機１００の排出ユニット１２４から排出された賞球数や賞球の発生タイミングを把握することができる。
【００７６】
また、上記のステップＳ１１にて、１５個賞球カウンタのカウンタ値が１未満である（つまり０である）と判定した場合には、ステップＳ１５に移行する。
【００７７】
ステップＳ１５では、少数賞球カウンタのカウンタ値が１以上である（カウンタ値＞０である）か否かを判定し、１未満である（つまり０である）と判定した場合には当該賞球排出処理を終了する一方で、１以上であると判定した場合にはステップＳ１６に移行する。
【００７８】
ステップＳ１６では、排出不能報知処理を行う。
つまり、演出制御装置４０に表示制御指令を送信して通常通りの排出は不能な状態である旨の報知表示を行わせる。なお、この報知表示は、具体的には、例えば「球を１個だけ排出します」との表示であることが挙げられる。
【００７９】
また、ステップＳ１６に続くステップＳ１７では、少数賞球カウンタのカウンタ値と同じ数だけ少数賞球データ（カウンタ値が１であれば１つの少数賞球データを、カウンタ値が２であれば２つの少数賞球データを送信する処理）を排出制御装置３０に送信する処理を行う。
排出制御装置３０では、少数賞球データを１つ受信する毎に、排出ユニット１２４により１個の賞球を排出させる制御を行う。
なお、少数賞球データを排出制御装置３０に送信する一方で、装飾制御指令を演出制御装置４０に送って、検査確認用ＬＥＤ１７を点灯させる制御も行う。従って、検査確認用ＬＥＤ１７の点灯状態を確認することにより、検査確認用の賞球排出（つまり、１個ずつの賞球排出）が行われることを認識することができる。また、例えば店員は検査確認用ＬＥＤ１７の点灯状態を監視することにより不正行為を発見することもできる。
【００８０】
ステップＳ１７に続くステップＳ１８では、少数賞球カウンタのカウンタ値をリセットする（カウンタ値を０にする）処理を行って当該賞球排出処理を終了する。
【００８１】
以上のような実施の形態によれば、制御手段（遊技制御装置２０、排出制御装置３０）は、特別遊技状態中に特別変動入賞装置５に球が入賞したことを球検出手段（カウントセンサ５ｃ、大入賞口継続センサ５ｄ）が検出することに基づき所定数（例えば１５個）の賞球を排出させる制御を行う変動入賞装置排出制御手段と、特別遊技状態中以外のタイミングで特別変動入賞装置５に球が入賞したことを球検出手段が検出することに基づき前記所定数よりも少数（例えば１個）の賞球を排出させる制御を行う少数賞球排出制御手段とを備えるので、特別遊技状態中以外のタイミングにおける特別変動入賞装置５への入賞に対しては、特別遊技状態中の入賞に対するよりも少数（例えば１個）の賞球しか排出しないこととなる。よって、不正行為を行ったとしてもあまり有効ではないようにできるため、不正行為を抑制することができる。
また、特別変動入賞装置５の球検出センサの検査確認を、特別遊技状態を発生させることなく行うことができる。しかも、この場合にも少数（例えば１個）の賞球を排出するので、検査確認の終了後は少数の球を取り除くだけで良い。よって、この除去作業が従来よりも容易となる。
【００８２】
また、少数賞球排出制御手段による排出制御により１個ずつ排出される球、すなわち球検出手段の検査確認用に排出される球は、排出賞球数加算記憶手段により加算記憶される賞球数、すなわち外部出力用の賞球数のデータに加算しない。よって、正確な賞球数のデータを遊技機外部に出力することができる。
【００８３】
また、遊技制御装置２０は、特別遊技状態中以外のタイミングで特別変動入賞装置５に球が入賞したことを球検出手段が検出した場合に、賞球データとして、前記所定数よりも少数の賞球を排出させるための少数賞球データを排出制御装置３０に送信する少数賞球データ出力手段を備えるので、排出制御装置３０は受信した賞球データ（通常の賞球データ又は少数賞球データ）に応じた数の賞球を排出させる制御を行うだけでよい。よって、排出制御装置３０の制御プログラムの容量を小さく抑えることができる。
【００８４】
さらに、バックアップ不能データ記憶手段が少数賞球データを記憶するので、バックアップ可能データ記憶手段が記憶すべきデータの容量、すなわちバックアップの容量を少なくできる。
【００８５】
なお、本発明はこの実施の形態のパチンコ遊技機に限られるものではなく、例えば、その他のパチンコ遊技機、アレンジボール遊技機、雀球遊技機などの弾球遊技機や、パチスロ、スロットマシーン等の遊技機にも適用可能である。
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８６】
【発明の効果】
本発明によれば、制御手段は、特別遊技状態中に変動入賞装置に球が入賞したことを球検出手段が検出することに基づき所定数の賞球を排出させる制御を行う変動入賞装置排出制御手段と、特別遊技状態中以外のタイミングで変動入賞装置に球が入賞したことを球検出手段が検出することに基づき前記所定数よりも少数の賞球を排出させる制御を行う少数賞球排出制御手段とを備えるので、特別遊技状態中以外のタイミングにおける変動入賞装置への入賞に対しては、特別遊技状態中の入賞に対するよりも少数（例えば１個）の賞球しか排出しないこととなる。よって、不正行為を行ったとしてもあまり有効ではないようにできるため、不正行為を抑制することができる。
また、変動入賞装置の球検出センサの検査を、特別遊技状態を発生させることなく行うことができる。しかも、この場合にも少数（例えば１個）の賞球を排出するので、検査の終了後は少数の球を取り除くだけで良い。よって、この除去作業が従来よりも容易となる。
【図面の簡単な説明】
【図１】本発明に係る遊技機の好適な一例としてのパチンコ遊技機の正面図である。
【図２】パチンコ遊技機の裏面図である。
【図３】パチンコ遊技機の主要な制御ブロック図である。
【図４】パチンコ遊技機が行う主要な制御フローの１つであるタイマ割込処理を示すフローチャートである。
【図５】パチンコ遊技機が行う主要な制御フローの１つである賞球排出処理を示すフローチャートである。
【図６】賞球排出処理中の外部出力カウンタ計数処理を示すフローチャートである。
【図７】変動入賞装置の斜視図であり、このうち（ａ）は開閉扉が閉じた状態（閉状態）を、（ｂ）は開閉扉が開いた状態（開状態）をそれぞれ示す。
【図８】変動入賞装置の平面図であり、このうち（ａ）は開閉扉が閉じた状態（閉状態）を、（ｂ）は開閉扉が開いた状態（開状態）をそれぞれ示す。
【符号の説明】
１        遊技盤
５        特別変動入賞装置（変動入賞装置）
５ｃ      カウントセンサ（球検出手段）
５ｄ      大入賞口継続センサ（球検出手段）
２０      遊技制御装置（制御手段、変動入賞装置排出制御手段、少数賞球排出制御手段、賞球データ送信手段、排出賞球数加算記憶手段、外部出力手段、少数賞球データ出力手段、バックアップ可能データ記憶手段、バックアップ不能データ記憶手段）
３０      排出制御装置（制御手段、変動入賞装置排出制御手段、少数賞球排出制御手段）
８１      枠用外部出力端子板（外部出力手段）
１００    パチンコ遊技機（遊技機）
【図１】
2004159945.tif 000003
【図２】
2004159945.tif 000004
【図３】
2004159945.tif 000005
【図４】
2004159945.tif 000006
【図５】
2004159945.tif 000007
【図６】
2004159945.tif 000008
【図７】
2004159945.tif 000009
【図８】
2004159945.tif 000010